(57)【要約】  本発明は、尿中有形成分として少なくとも円柱及び赤血球を検出するための尿試料分析方法、尿試料分析用試薬及び尿試料分析用試薬キットに関する。【特許請求の範囲】
【請求項１】
尿試料と、界面活性剤を含む試薬とを混合して測定試料を調製する工程と、
調製工程で得られた測定試料に含まれる尿中有形成分として少なくとも円柱及び赤血球を検出する工程と
を含み、調製工程で得られた測定試料中の界面活性剤の濃度が２mg/L以上30 mg/L以下である、
尿試料分析方法。
【請求項２】
調製工程で得られた測定試料中の界面活性剤の濃度が４mg/L以上22 mg/L以下である、請求項１に記載の尿試料分析方法。
【請求項３】
界面活性剤が、カチオン性界面活性剤、アニオン性界面活性剤、両性界面活性剤及びノニオン性界面活性剤から選択される少なくとも１つである請求項１又は２に記載の尿試料分析方法。
【請求項４】
カチオン性界面活性剤が、４級アンモニウム塩型界面活性剤及びピリジニウム塩型界面活性剤から選択される少なくとも１つであり、アニオン性界面活性剤が、カルボン酸塩型界面活性剤、スルホン酸塩型界面活性剤及び硫酸エステル塩型界面活性剤から選択される少なくとも１つであり、両性界面活性剤が、アミノ酸型両性界面活性剤及びベタイン型両性界面活性剤から選択される少なくとも１つであり、ノニオン性界面活性剤が、ポリオキシエチレン系ノニオン性界面活性剤である請求項３に記載の尿試料分析方法。
【請求項５】
カチオン性界面活性剤が、４級アンモニウム塩型界面活性剤である請求項４に記載の尿試料分析方法。
【請求項６】
４級アンモニウム塩型界面活性剤が、以下の式(I)：
2015129863.tif 000009
(式中、Ｒ1は炭素数１〜18のアルキル基又はアルケニル基であり；Ｒ2及びＲ3は互いに同一又は異なって、炭素数１〜４のアルキル基又はアルケニル基であり；Ｒ4は炭素数１〜12のアルキル基若しくはアルケニル基、又はベンジル基であり；Ｘ-はハロゲンイオン又はヒドロキシイオンである。)
で表される、全炭素数が４〜38の界面活性剤である請求項５に記載の尿試料分析方法。
【請求項７】
前記式(I)において、Ｒ2、Ｒ3及びＲ4のそれぞれがメチル基である請求項６に記載の尿試料分析方法。
【請求項８】
前記式(I)において、Ｘ-がハロゲンイオンであり、臭化物イオン、塩化物イオン及びヨウ化物イオンから選択される少なくとも１つである請求項６又は７に記載の尿試料分析方法。
【請求項９】
４級アンモニウム塩型界面活性剤が、ドデシルトリメチルアンモニウムブロミド、オクチルトリメチルアンモニウムブロミド、テトラデシルトリメチルアンモニウムブロミド、ドデシルトリメチルアンモニウムクロライド、オクチルトリメチルアンモニウムクロライド、及びテトラデシルトリメチルアンモニウムクロライドから選択される少なくとも１つである請求項５〜８のいずれか１項に記載の尿試料分析方法。
【請求項１０】
ポリオキシエチレン系ノニオン性界面活性剤が、ポリオキシエチレンアルキルエーテルである請求項４に記載の尿試料分析方法。
【請求項１１】
調製工程において、円柱及び赤血球を染色するための蛍光色素を含む試薬をさらに混合する請求項１〜１０のいずれか１項に記載の尿試料分析方法。
【請求項１２】
円柱及び赤血球を染色するための蛍光色素が、シアニン系蛍光色素である請求項１１に記載の尿試料分析方法。
【請求項１３】
調製工程で得られた測定試料に含まれる尿中有形成分に光を照射して光学的情報を取得する工程をさらに含み、
検出工程が、取得した光学的情報に基づいて、尿中有形成分として少なくとも円柱及び赤血球を検出する工程である請求項１〜１２のいずれか１項に記載の尿試料分析方法。
【請求項１４】
前記光学的情報が、少なくとも散乱光情報を含む請求項１３に記載の尿試料分析方法。
【請求項１５】
界面活性剤を含む試薬が、キレート剤をさらに含む請求項１〜１４のいずれか１項に記載の尿試料分析方法。
【請求項１６】
キレート剤が、エチレンジアミン四酢酸塩(EDTA塩)である請求項１５に記載の尿試料分析方法。
【請求項１７】
４mg/L以上50 mg/L以下の界面活性剤を含む、尿中有形成分として少なくとも円柱及び赤血球を検出するための尿試料分析用試薬。
【請求項１８】
４mg/L以上50 mg/L以下の界面活性剤を含む第１試薬と、
円柱及び赤血球を染色するための蛍光色素を含む第２試薬と、
を含む、尿中有形成分として少なくとも円柱及び赤血球を検出するための尿試料分析用試薬キット。
【発明の詳細な説明】
【技術分野】
【０００１】
本発明は、尿中有形成分として少なくとも円柱及び赤血球を検出するための尿試料分析方法、尿試料分析用試薬及び尿試料分析用試薬キットに関する。
【背景技術】
【０００２】
腎・尿路系における感染症、炎症性病変、変性病変、結石症、腫瘍などの疾患では、それぞれの疾患に応じて、尿中に種々の有形成分が出現する。有形成分としては、赤血球、円柱、白血球、上皮細胞、酵母様真菌、精子などが挙げられる。尿中のこれらの成分を分析することは、腎・尿路系の疾患や異常部位の推定をする上で重要である。例えば、赤血球は、腎臓の糸球体から尿道に至る経路における出血の有無を判定するのに有用な尿中有形成分である。【０００３】
円柱は、Tamm-Horsfallムコタンパク質と尿中血漿タンパク質(主にアルブミン)との凝固沈殿物を基質とする固形成分であり、主に遠位尿細管及び集合管で形成される。この基質のみからなる円柱は硝子円柱と呼ばれるが、腎臓や尿細管の状態によっては硝子円柱に細胞などの種々の成分が封入され、さらに変性した円柱が生じることがある。そのため、円柱は、腎臓及び尿細管の病態や障害の程度を把握するのに有用な尿中有形成分である。【０００４】
円柱及び赤血球などの尿中有形成分の分析では、尿を遠心分離して得られる沈殿物(有形成分)を顕微鏡で観察することによる目視検査が広く行われている。また、近年では、フローサイトメータを用いた自動分析法も開発されている。例えば、特許文献１には、染色用試薬及び希釈用試薬で処理した尿試料をフローサイトメータで測定することにより、尿中有形成分を分析する方法が記載されている。【０００５】
一方、尿中には、形状が円柱に極めて類似した成分である粘液糸や、細菌や塩類など凝集体も存在する。尿試料中の円柱の数は臨床的に重要な情報であるので、円柱の検出の際には、円柱と、粘液糸などの円柱に類似した成分とを弁別することが重要となる。
【先行技術文献】
【特許文献】
【０００６】
【特許文献１】特開平９−３２９５９６号公報
【発明の概要】
【発明が解決しようとする課題】
【０００７】
特許文献１には、細胞膜損傷剤としての界面活性剤を尿試料中に約50〜5000 mg/Lの濃度で添加して、白血球を損傷させて強く染色することで、白血球と小型上皮細胞とを弁別することが記載されている。また、特許文献１には、細胞膜損傷剤により赤血球を溶血させた試料の測定結果と、赤血球を溶血させていない試料の測定結果を比較することにより、赤血球と結晶成分や酵母様真菌とを弁別できることが記載されている。【０００８】
しかしながら、尿中の赤血球を分析するために、試料を２つ用意して、それぞれ分析することは煩雑である。よって、１つの尿試料から尿中の赤血球を検出できることが望まれる。また、尿中の円柱を検出するためには、上述のとおり、粘液糸との弁別が重要となる。したがって、１つの尿試料から尿中の円柱及び赤血球を正確に検出するためには、赤血球を溶血させずに検出することと、円柱を粘液糸などの夾雑物と区別して検出できることとの両方が求められる。【０００９】
上記のことに鑑みて、本発明は、１つの尿試料から円柱及び赤血球を精度良く検出することを可能にする尿試料分析方法を提供することを目的とする。また、本発明は、その方法に好適に用いられる尿試料分析用試薬及び尿試料分析用試薬キットを提供することを目的とする。
【課題を解決するための手段】
【００１０】
本発明者らは、驚くべきことに、測定試料中の界面活性剤の濃度を２mg/L以上30 mg/L以下と極めて低くすることにより、赤血球を実質的に損傷させずに検出し、且つ円柱を夾雑物と区別して検出することができることを見出して、本発明を完成した。【００１１】
よって、本発明は、尿試料と、界面活性剤を含む試薬とを混合して測定試料を調製する工程と、調製工程で得られた測定試料に含まれる尿中有形成分として少なくとも円柱及び赤血球を検出する工程とを含み、調製工程で得られた測定試料中の界面活性剤の濃度が２mg/L以上30 mg/L以下である、
尿試料分析方法を提供する。【００１２】
また、本発明は、４mg/L以上50 mg/L以下の界面活性剤を含む、尿中有形成分として少なくとも円柱及び赤血球を検出するための尿試料分析用試薬を提供する。【００１３】
さらに、本発明は、４mg/L以上50 mg/L以下の界面活性剤を含む第１試薬と、円柱及び赤血球を染色するための蛍光色素を含む第２試薬とを含む、尿中有形成分として少なくとも円柱及び赤血球を検出するための尿試料分析用試薬キットを提供する。
【発明の効果】
【００１４】
本発明によれば、赤血球を実質的に損傷させず、かつ円柱及び赤血球を精度良く検出することを可能にする。
【図面の簡単な説明】
【００１５】
【図１】赤血球を含む尿試料を、種々の濃度の界面活性剤の存在下で処理して得た測定試料に含まれる赤血球の数を示すグラフである。
【図２】赤血球を含む尿試料を、種々の濃度のカチオン性界面活性剤の存在下で処理して得た測定試料から検出された赤血球の数を示すグラフである。
【図３】赤血球を含む尿試料を、種々の濃度のノニオン性界面活性剤又はカチオン性界面活性剤の存在下で処理して得た測定試料から検出された赤血球の数を示すグラフである。
【図４】円柱を含まないが円柱に類似した夾雑物を含む尿試料を、種々の濃度のカチオン性界面活性剤の存在下で処理して得た測定試料から検出された夾雑物の数を示すグラフである。
【図５】円柱を含まないが円柱に類似した夾雑物を含む尿試料を、種々の濃度のノニオン性界面活性剤又はカチオン性界面活性剤の存在下で処理して得た測定試料から検出された夾雑物の数を示すグラフである。
【図６】尿試料分析用試薬の一例を示す図である。
【図７】尿試料分析用試薬キットの一例を示す図である。
【発明を実施するための形態】
【００１６】
[尿試料分析方法]
本実施形態の尿試料分析方法(以下、単に「方法」ともいう)は、尿中有形成分のうち赤血球、円柱、結晶成分及び粘液糸を分析対象とし、特に円柱及び赤血球の分析に好適である。
【００１７】
円柱には様々な種類があり、上記の基質のみからなる硝子円柱、尿細管上皮細胞が封入された上皮円柱、赤血球が封入された赤血球円柱、白血球が封入された白血球円柱、脂肪顆粒が封入された脂肪円柱、顆粒成分(主に変性した上皮細胞)が封入された顆粒円柱、円柱の全体又は一部が均質で蝋のように変性した蝋様円柱が知られている。本実施形態において、円柱の種類は特に限定されない。
【００１８】
本実施形態において、赤血球の種類は特に限定されず、正常赤血球及び異常赤血球のいずれであってもよい。
【００１９】
本実施形態の方法では、まず、尿試料と、界面活性剤を含む試薬（以下、「第１試薬」ともいう）とを混合して測定試料を調製する工程が行われる。この工程では、得られた測定試料中の界面活性剤の濃度(終濃度)が２mg/L以上30 mg/L以下となるように尿試料と第１試薬との混合を行う。好ましくは、測定試料中の界面活性剤の濃度が４mg/L以上22 mg/L以下となるように混合する。
【００２０】
本実施形態においては、尿試料は、尿中有形成分を含む液体試料であれば特に限定されないが、好ましくは被験者から採取した尿である。なお、被験者から採取した尿を試料として用いる場合、時間経過により尿中有形成分が劣化するおそれがあるので、採取後24時間以内、特に３〜12時間以内に尿試料を本実施形態の方法に用いることが望ましい。
【００２１】
本実施形態の方法においては、測定試料中の界面活性剤の濃度は２mg/L以上30 mg/L以下と極めて低いが、界面活性剤の作用により、円柱の正確な検出を阻害する細菌や塩類などの夾雑物の凝集体を分散させ、除去することができる。
【００２２】
第１試薬は、界面活性剤を適切な溶媒に溶解させることにより得ることができる。溶媒は、界面活性剤を溶解させることができれば特に限定されず、例えば、水、水溶性有機溶媒、及びこれらの混合物が挙げられる。水溶性有機溶媒としては、例えば、炭素数１〜３の低級アルコール、エチレングリコール、ジメチルスルホキシド(DMSO)などが挙げられる。本実施形態においては、水が特に好ましい。
【００２３】
第１試薬に用いられる界面活性剤の種類は特に限定されず、カチオン性界面活性剤、ノニオン性界面活性剤、アニオン性界面活性剤及び両性界面活性剤から適宜選択することができる。第１試薬に用いられる界面活性剤は、カチオン性界面活性剤及びノニオン性界面活性剤から選択することが好ましく、カチオン性界面活性剤が特に好ましい。第１試薬に含まれる界面活性剤は１種類であってもよいし、２種類以上であってもよい。２種類以上の界面活性剤を含む場合、その組み合わせは任意に選択することができる。
【００２４】
本実施形態においては、カチオン性界面活性剤として、第四級アンモニウム塩型界面活性剤及びピリジニウム塩型界面活性剤から選択される少なくとも１種を用いることができる。第四級アンモニウム塩型界面活性剤としては、例えば、以下の式(I)で表される、全炭素数が４〜38の界面活性剤が挙げられる。
【００２５】
【化１】
2015129863.tif 000002
【００２６】
上記の式(I)中、Ｒ1は炭素数１〜18のアルキル基又はアルケニル基であり；Ｒ2及びＲ3は互いに同一又は異なって、炭素数１〜４のアルキル基又はアルケニル基であり；Ｒ4は炭素数１〜12のアルキル基若しくはアルケニル基、又はベンジル基であり；Ｘ-はハロゲンイオン又はヒドロキシイオンである。
【００２７】
上記の式(I)中、Ｒ1としては、炭素数が６、８、10、12及び14のアルキル基又はアルケニル基が好ましく、特に直鎖のアルキル基が好ましい。より具体的なＲ1としては、オクチル基、デシル基及びドデシル基が挙げられる。Ｒ2及びＲ3としては、メチル基、エチル基及びプロピル基が好ましい。Ｒ4としては、メチル基、エチル基及びプロピル基が好ましい。より好ましくは、Ｒ2、Ｒ3及びＲ4のそれぞれがメチル基である。上記の式(I)中、Ｘ-はハロゲンイオンが好ましく、例えば、臭化物イオン、塩化物イオン及びヨウ化物イオンが挙げられる。
【００２８】
ピリジニウム塩型界面活性剤としては、例えば、以下の式(II)で表される界面活性剤が挙げられる。
【００２９】
【化２】
2015129863.tif 000003
【００３０】
上記の式(II)中、Ｒ1は炭素数６〜18のアルキル基又はアルケニル基であり；Ｘ-はハロゲンイオンである。
【００３１】
上記の式(II)中、Ｒ1としては、炭素数が６、８、10、12及び14のアルキル基又はアルケニル基が好ましく、特に直鎖のアルキル基が好ましい。より具体的なＲ1としてはオクチル基、デシル基及びドデシル基が挙げられる。
【００３２】
上記のカチオン性界面活性剤の具体例としては、トリエチルメチルアンモニウムクロライド、ジデシルジメチルアンモニウムブロミド、ジデシルジメチルアンモニウムクロライド、ジドデシルジメチルアンモニウムブロミド、ジドデシルジメチルアンモニウムクロライド、エチルヘキサデシルジメチルアンモニウムブロミド、エチルトリメチルアンモニウムヨージド、ドデシルトリメチルアンモニウムブロミド、デシルトリメチルアンモニウムブロミド、ドデシルトリメチルアンモニウムクロライド、オクチルトリメチルアンモニウムブロミド、オクチルトリメチルアンモニウムクロライド、テトラデシルトリメチルアンモニウムクロライド、トリメチルヘプタデシルアンモニウムブロミド、ヘキサデシルトリメチルアンモニウムブロミド、ヘキサデシルトリメチルアンモニウムクロライド、ヘキサデシルトリメチルアンモニウムヒドロキシド、ヘキシルトリメチルアンモニウムブロミド、トリメチルノニルアンモニウムブロミド、トリメチルステアリルアンモニウムブロミド、トリメチルステアリルアンモニウムクロライド、ドデシルピリジニウムクロライド、テトラデシルトリメチルアンモニウムブロミドなどが挙げられる。それらの中でもドデシルトリメチルアンモニウムブロミド(DTAB)、ドデシルトリメチルアンモニウムクロライド(DTAC)、オクチルトリメチルアンモニウムブロミド(OTAB)、及びテトラデシルトリメチルアンモニウムブロミド(MTAB)が好ましく、DTABが特に好ましい。
【００３３】
本実施形態においては、ノニオン性界面活性剤として、以下の式(III)で表されるポリオキシエチレン系ノニオン界面活性剤が好適に用いられる。
【００３４】
Ｒ1−Ｒ2−(ＣＨ2ＣＨ2Ｏ)n−Ｈ    (III)
【００３５】
上記の式(III)中、Ｒ1は炭素数８〜25のアルキル基、アルケニル基又はアルキニル基であり；Ｒ2は−Ｏ−、−ＣＯＯ−又は
【００３６】
【化３】
2015129863.tif 000004
であり；ｎは10〜50の整数である。
【００３７】
上記のノニオン性界面活性剤の具体例としては、ポリオキシエチレンアルキルエーテル、ポリオキシエチレンステロール、ポリオキシエチレンヒマシ油、ポリオキシエチレンソルビット脂肪酸エステル、ポリオキシエチレンアルキルアミン、ポリオキシエチレンポリオキシプロピレンアルキルエーテルなどが挙げられる。それらの中でも、ポリオキシエチレンアルキルエーテルが好ましく、具体的には、ポリオキシエチレンラウリルエーテル、ポリオキシエチレンセチルエーテル、ポリオキシエチレンステアリルエーテル、ポリオキシエチレンオレイルエーテル、ポリオキシエチレンベヘニルエーテルが特に好ましい。
【００３８】
本実施形態においては、アニオン性界面活性剤として、カルボン酸塩型界面活性剤、スルホン酸塩型界面活性剤及び硫酸エステル塩型界面活性剤から選択される少なくとも１種を用いることができる。カルボン酸塩型界面活性剤としては、例えば、以下の式(IV)で表される界面活性剤が挙げられる。
【００３９】
Ｒ1−ＣＯＯ-  Ｙ+    (IV)
【００４０】
上記の式(IV)中、Ｒ1は炭素数８〜25のアルキル基、アルケニル基又はアルキニル基であり；Ｙ+はアルカリ金属イオンである。
【００４１】
上記の式(IV)中、Ｒ1としては炭素数が12〜18の直鎖のアルキル基が好ましい。上記のカルボン酸塩型界面活性剤は、当該技術においてはセッケンとして知られ、例えば、ラウリン酸ナトリウム、ステアリン酸ナトリウム、オレイン酸ナトリウムなどが挙げられる。
【００４２】
スルホン酸塩型界面活性剤としては、例えば、以下の式(V)で表される界面活性剤が挙げられる。
【００４３】
【化４】
2015129863.tif 000005
【００４４】
上記の式(V)中、ｍ及びｎは０以上の整数であって、ｍとｎの和が８〜25であり；Ｙ+はアルカリ金属イオンである。
【００４５】
上記の式(V)中、ｍとｎの和が９〜18であることが好ましい。上記の式(V)で表されるスルホン酸塩型界面活性剤は、当該技術においてはアルキルベンゼンスルホン酸塩として知られ、例えば、直鎖デシルベンゼン硫酸ナトリウム、直鎖ウンデシルベンゼン硫酸ナトリウム、直鎖ドデシルベンゼン硫酸ナトリウム、直鎖トリデシルベンゼン硫酸ナトリウム及び直鎖テトラデシルベンゼン硫酸ナトリウムなどが挙げられる。
【００４６】
また、スルホン酸塩型界面活性剤として、以下の式(VI)及び(VII)のそれぞれで表される界面活性剤の混合物を用いてもよい。
【００４７】
ＣＨ3(ＣＨ2)j−ＣＨ＝ＣＨ−(ＣＨ2)k−ＳＯ3-  Ｙ+    (VI)
【００４８】
上記の式(VI)中、ｊ及びｋは０以上の整数であって、ｊとｋの和が10〜25の整数であり；Ｙ+はアルカリ金属イオンである。
【００４９】
ＣＨ3(ＣＨ2)m−ＣＨ(−ＯＨ)−(ＣＨ2)n−ＳＯ3-  Ｙ+    (VII)
【００５０】
上記の式(VII)中、ｍ及びｎは０以上の整数であって、ｍとｎの和が10〜25の整数であり；Ｙ+はアルカリ金属イオンである。
【００５１】
上記の式(VI)中、ｊとｋの和が11〜15の整数であって、上記の式(VII)中、ｍとｎの和が12〜16の整数であることが好ましい。上記の式(VI)及び(VII)でそれぞれ表される界面活性剤は、当該技術においてはα−オレフィンスルホン酸塩として知られ、例えば、１−テトラデセンスルホン酸ナトリウム、ヘキサデセンスルホン酸ナトリウム、３−ヒドロキシヘキサデシル−１−スルホン酸ナトリウム、オクタデセン−１−スルホン酸ナトリウム及び３−ヒドロキシ−１−オクタデカンスルホン酸ナトリウムなどが挙げられる。
【００５２】
硫酸エステル塩型界面活性剤としては、例えば、以下の式(VIII)で表される界面活性剤が挙げられる。
【００５３】
Ｒ1−Ｏ−ＳＯ3-  Ｙ+    (VIII)
【００５４】
上記の式(VIII)中、Ｒ1は炭素数10〜25のアルキル基、アルケニル基又はアルキニル基であり；Ｙ+はアルカリ金属イオンである。
【００５５】
上記の式(VIII)中、Ｒ1としては、炭素数が10〜18の直鎖のアルキル基が好ましく、特に炭素数が12の直鎖のアルキル基が好ましい。上記の式(VIII)で表される硫酸エステル塩型界面活性剤は、当該技術においては高級アルコール硫酸エステル塩として知られ、例えば、デシル硫酸ナトリウム、ウンデシル硫酸ナトリウム、ドデシル硫酸ナトリウム、トリデシル硫酸ナトリウム及びテトラデシル硫酸ナトリウムなどが挙げられる。
【００５６】
また、硫酸エステル塩型界面活性剤として、以下の式(IX)で表される界面活性剤を用いてもよい。
【００５７】
Ｒ1−Ｏ−(ＣＨ2ＣＨ2Ｏ)n−ＳＯ3-  Ｙ+    (IX)
【００５８】
上記の式(IX)中、Ｒ1は炭素数10〜25のアルキル基、アルケニル基又はアルキニル基であり；ｎは１〜８の整数であり；Ｙ+はアルカリ金属イオン又はアンモニウムイオンである。
【００５９】
上記の式(IX)中、Ｒ1としては、炭素数が12〜18の直鎖のアルキル基が好ましく、特に炭素数が12の直鎖のアルキル基が好ましい。上記の式(IX)で表される硫酸エステル塩型界面活性剤は、当該技術においてはポリオキシエチレンアルキル硫酸エステル塩として知られ、例えば、ドデシルエーテル硫酸エステルナトリウムなどが挙げられる。
【００６０】
また、硫酸エステル塩型界面活性剤として、以下の式(X)で表される界面活性剤を用いてもよい。
【００６１】
Ｒ1−ＣＨ(−ＳＯ3-)−ＣＯＯＣＨ3  Ｙ+    (X)
【００６２】
上記の式(X)中、Ｒ1は炭素数８〜25のアルキル基、アルケニル基又はアルキニル基であり；Ｙ+はアルカリ金属イオンである。
【００６３】
上記の式(X)中、Ｒ1としては、炭素数が10〜18の直鎖のアルキル基が好ましく、特に炭素数が12の直鎖のアルキル基が好ましい。上記の式(X)で表される硫酸エステル塩型界面活性剤は、当該技術においてはα−スルホ脂肪酸エステルとして知られ、例えば、２−スルホテトラデカン酸−１−メチルエステルナトリウム塩及び２−スルホヘキサデカン酸−１−メチルエステルナトリウム塩などが挙げられる。
【００６４】
本実施形態において、両性界面活性剤として、アミノ酸型両性界面活性剤及びベタイン型両性界面活性剤から選択される少なくとも１種を用いることができる。アミノ酸型両性界面活性剤としては、例えば以下の式(XI)で表される界面活性剤が挙げられる。
【００６５】
Ｒ1−Ｎ+Ｈ2−ＣＨ2ＣＨ2ＣＯＯ-    (XI)
【００６６】
上記の式(XI)中、Ｒ1は炭素数８〜25のアルキル基、アルケニル基又はアルキニル基である。
【００６７】
上記の式(XI)中、Ｒ1としては、炭素数が12〜18の直鎖のアルキル基が好ましい。上記のアミノ酸型両性界面活性剤としては、例えば、３−(ドデシルアミノ)プロパン酸及び３−(テトラデカ−１−イルアミノ)プロパン酸などが挙げられる。
【００６８】
ベタイン型両性界面活性剤としては、例えば、以下の式(XII)で表される界面活性剤が挙げられる。
【００６９】
【化５】
2015129863.tif 000006
【００７０】
上記の式(XII)中、Ｒ1は炭素数６〜18のアルキル基又はアルケニル基であり；Ｒ2は炭素数１〜４のアルキル基又はアルケニル基であり；Ｒ3は炭素数１〜４のアルキル基若しくはアルケニル基、又はベンジル基であり；ｎは１又は２である。
【００７１】
ベタイン型両性界面活性剤としては、例えば、ドデシルジメチルアミノ酢酸ベタイン及びステアリルジメチルアミノ酢酸ベタインなどが挙げられる。
【００７２】
第１試薬中の界面活性剤の濃度は、調製した測定試料中の該界面活性剤の濃度を２mg/L以上30 mg/L以下、好ましくは４mg/L以上22 mg/L以下とすることが可能な濃度であれば特に限定されない。
【００７３】
本実施形態においては、pH変化による赤血球の溶血を防止するために、第１試薬のpHを５以上９以下、好ましくは6.5以上8.6以下、より好ましくは7.0以上7.8以下の範囲とすることができる。よって、第１試薬は、pHを一定に保つために緩衝剤を含んでいてもよい。そのような緩衝剤としては、上記のpH範囲にて緩衝作用を有する緩衝剤であれば特に限定されず、例えば、Tris、MES、Bis-Tris、ADA、PIPES、ACES、MOPS、MOPSO、BES、TES、HEPES、DIPSO、TAPSO、POPSO、HEPPSO、EPPS、Tricine、Bicine、TAPSなどのグッド緩衝剤などが挙げられる。
【００７４】
尿試料には、リン酸アンモニウム、リン酸マグネシウム、炭酸カルシウムなどの無晶性塩類が含まれている場合がある。本実施形態においては、これらの無晶性塩類の影響を低減させるために、第１試薬はキレート剤を含んでいてもよい。キレート剤は、無晶性塩類を除去可能なキレート剤であれば特に限定されず、当該技術において公知の脱カルシウム剤、脱マグネシウム剤などから適宜選択することができる。具体的には、エチレンジアミン四酢酸塩(EDTA塩)、CyDTA、DHEG、DPTA-OH、EDDA、EDDP、GEDTA、HDTA、HIDA、Methyl-EDTA、NTA、NTP、NTPO、EDDPOなどが挙げられ、それらの中でもEDTA塩が特に好ましい。
【００７５】
第１試薬中のキレート剤の濃度は、上記のようにして調製した測定試料中において、無晶性塩類の影響を低減できるような終濃度で該キレート剤が含まれるように設定することが望ましい。測定試料中の終濃度は、上記のキレート剤の種類に応じて適宜設定される。例えば、キレート剤としてEDTA２カリウム(EDTA-2K)を用いる場合、測定試料中の終濃度は0.1 mM以上500 mM以下、好ましくは１mM以上100 mM以下である。
【００７６】
尿中に酵母様真菌及び赤血球が存在する場合、フローサイトメータによる分析では、酵母様真菌と赤血球との分画があまり良好ではない場合があることが知られている。したがって、第１試薬は、酵母様真菌の細胞膜を損傷させる物質を含んでいてもよい。そのような物質としては、２−フェノキシエタノール、ベンジルアルコール、フェネチルアルコール、１−フェノキシ−２−プロパノール、フェノール、酢酸フェニル、ベンゾチアゾールなどが挙げられ、それらの中でも２−フェノキシエタノールが特に好ましい。このような物質を含む第１試薬を用いることにより、酵母様真菌の染色性が変化して、赤血球と酵母様真菌との分画が改善される。
【００７７】
尿の浸透圧は、50〜1300 mOsm/kgと広範囲に分布していることが知られているが、測定試料において浸透圧が低すぎるか又は高すぎる場合、赤血球が損傷するおそれがある。測定試料における適切な浸透圧は100 mOsm/kg以上600 mOsm/kg以下、好ましくは150 mOsm/kg以上500 mOsm/kg以下である。尿の浸透圧が高すぎる場合は、水又は第１試薬で希釈することにより浸透圧を適宜調節することができる。反対に、尿の浸透圧が低すぎる場合は、第１試薬は浸透圧補償剤を含んでいてもよい。そのような浸透圧補償剤としては、無機塩類、有機塩類、糖類などが挙げられる。無機塩類としては、塩化ナトリウム、臭化ナトリウムなどが挙げられる。有機塩類としては、プロピオン酸ナトリウム、プロピオン酸カリウム、プロピオン酸アンモニウムシュウ酸塩などが挙げられる。糖類としては、ソルビトール、グルコース、マンニトールなどが挙げられる。
【００７８】
本実施形態では、調製工程において、円柱及び赤血球を染色するための蛍光色素を含む試薬（以下、「第２試薬」ともいう）をさらに混合することが好ましい。第２試薬に含まれる蛍光色素は、少なくとも細胞膜、好ましくはタンパク質及び赤血球の細胞膜を染色することができる蛍光色素が好ましい。第２試薬に用いうる蛍光色素としては、縮合ベンゼン誘導体が挙げられ、該誘導体の中でもシアニン系蛍光色素が特に好ましい。シアニン系蛍光色素としては、例えば、3,3'-ジエチルオキサカルボシアニンアイオダイド(DiOC2(3))、3,3-ジプロピルオキサカルボシアニンアイオダイド(DiOC3(3))、3,3'-ジブチルオキサシアニンアイオダイド(DiOC4(3))及び3,3-ジペンチルオキサカルボシアニンアイオダイド(DiOC5(3))が挙げられる。
【００７９】
第２試薬中の蛍光色素は１種類であってもよいし、２種類以上であってもよい。第２試薬中の蛍光色素の濃度は、調製した測定試料中において、少なくとも円柱及び赤血球を適切に染色することができるような終濃度で該蛍光色素が含まれるように設定することが望ましい。測定試料中の終濃度は、上記の蛍光色素の種類に応じて適宜設定される。例えば、蛍光色素としてDiOC3(3)を用いる場合、測定試料中の終濃度は0.1μg/mL以上200μg/mL以下、好ましくは１μg/mL以上20μg/mL以下である。
【００８０】
第２試薬は、上記の蛍光色素を適切な溶媒に溶解させることにより得ることができる。溶媒は、上記の蛍光色素を溶解させることができる水性溶媒であれば特に限定されず、例えば、水、水溶性有機溶媒、及びこれらの混合物が挙げられる。それらの中でも、水溶性有機溶媒が特に好ましい。水溶性有機溶媒としては、例えば、炭素数１〜３の低級アルコール、エチレングリコール、DMSOなどが挙げられる。
【００８１】
本実施形態においては、尿試料と、第１試薬と、第２試薬とを混合する順序は特に限定されず、これらを同時に混合することもできる。好ましくは、尿試料と第２試薬とを先に混合し、ここへ第１試薬をさらに混合する。あるいは、第１試薬と第２試薬とを先に混合し、ここへ尿試料をさらに混合してもよい。
【００８２】
本実施形態において、尿試料と、第１試薬と、第２試薬との混合割合は特に限定されず、各試薬に含まれる成分濃度に応じて適宜決定すればよい。例えば、尿試料と第１試薬との混合割合は、体積比で１：0.5〜10の範囲から決定することができる。また、尿試料と第２試薬との混合割合は、体積比で１：0.01〜１の範囲から決定することができる。なお、尿試料の量は、第１試薬と第２試薬に応じて適宜決定すればよい。尿試料の量は測定時間が長くなり過ぎないようにする観点から1000μL以下が好ましい。尿試料の量は10〜1000μL程度で測定に十分である。
【００８３】
調製工程における温度条件は、10〜60℃、好ましくは35〜45℃である。各試薬を予めこれらの温度となるように加温していてもよい。また、尿試料と、第１試薬及び／又は第２試薬とを混合した後、１秒〜５分間、好ましくは５〜60秒間インキュベーションしてもよい。
【００８４】
本実施形態の方法では、上記の調製工程で得られた測定試料に含まれる尿中有形成分として少なくとも円柱及び赤血球を検出する工程が行われる。
【００８５】
調製工程で第２試薬を用いなかった場合は、光学顕微鏡を用いて、測定試料中の各成分の形状や内部構造などを観察することにより、円柱及び赤血球を含む有形成分を検出することができる。また、第２試薬により尿試料中の有形成分を染色した場合は、蛍光顕微鏡を用いて、測定試料中の各有形成分の形状及び染色の程度などを観察することにより、有形成分を検出することができる。
【００８６】
好ましい実施形態においては、上記の検出工程の前に、測定試料に含まれる尿中有形成分に光を照射して光学的情報を取得する工程をさらに行う。この光学的情報の取得工程は、フローサイトメータにより行われることが望ましい。フローサイトメータによる測定では、染色された尿中有形成分がフローセルを通過する際に該有形成分に光を照射することにより、該有形成分から発せられるシグナルとして光学的情報を得ることができる。取得した光学的情報は、少なくとも散乱光情報を含むことが好ましい。第２試薬を用いて測定試料を調製した場合は、光学的情報として、散乱光情報及び蛍光情報を取得することが好ましい。
【００８７】
散乱光情報は、一般に市販されるフローサイトメータで測定できる散乱光の情報であれば特に限定されず、例えば、前方散乱光(例えば、受光角度０〜20度付近)や側方散乱光(受光角度90度付近)などの散乱光の強度及び波形情報などが挙げられる。より具体的には、散乱光情報として、散乱光強度、散乱光パルス幅及び散乱光積分値などが挙げられる。当該技術においては、側方散乱光は、細胞の核や顆粒などの内部情報を反映し、前方散乱光は、細胞の大きさの情報を反映することが知られている。実施形態においては、前方散乱光の情報を用いることが好ましい。
【００８８】
蛍光情報は、適当な波長の励起光を染色された尿中有形成分に照射して、励起された蛍光を測定して得られる情報であれば特に限定されず、例えば、蛍光の強度及び波形情報が挙げられる。より具体的には、蛍光情報として、蛍光強度、蛍光パルス幅及び蛍光積分値などが挙げられる。なお、蛍光は、第２試薬に含まれる蛍光色素によって染色された有形成分内の核酸などから発せられる。また、受光波長は、第２試薬に含まれる蛍光色素に応じて適宜選択することができる。
【００８９】
本実施形態においては、フローサイトメータの光源は特に限定されず、蛍光色素の励起に好適な波長の光源を適宜選択することができる。例えば、赤色半導体レーザ、青色半導体レーザ、アルゴンレーザ、He-Neレーザ、水銀アークランプなどが使用される。特に半導体レーザは、気体レーザに比べて非常に安価であるので好適である。
【００９０】
本実施形態の方法において上記の取得工程を行う場合、検出工程では、該取得工程で得られた光学的情報に基づいて、尿中有形成分として少なくとも円柱及び赤血球を検出する。なお、「検出」には、測定試料中に尿中有形成分の存在を見出すことだけではなく、尿中有形成分を分類及び計数することも含まれる。
【００９１】
本実施形態において、尿中有形成分の検出は、散乱光情報と蛍光情報とを二軸とするスキャッタグラムを作成し、得られたスキャッタグラムを適当な解析ソフトを用いて解析することにより行われることが好ましい。例えば、Ｘ軸を蛍光強度とし、Ｙ軸を前方散乱光強度としてスキャッタグラムを描いた場合、各尿中有形成分の粒子サイズ及び染色性(核酸含有量)に応じて、それぞれの集団(クラスター)がスキャッタグラム上に出現する。本実施形態の方法においては、少なくとも円柱及び赤血球を、それぞれ異なる領域に出現する２種類の集団として検出することができる。また、解析ソフトによって、スキャッタグラム上にて各集団を囲むウィンドウを設け、各ウィンドウ中の粒子数を計数することができる。
【００９２】
[尿試料分析用試薬]
本実施形態の尿試料分析用試薬(以下、単に「試薬」ともいう)は、尿試料中の有形成分として少なくとも円柱及び赤血球を検出するための試薬である。本実施形態の試薬は、４mg/L以上50 mg/L以下の濃度で界面活性剤を含む。本実施形態の試薬は、尿試料と当該試薬とを混合して調製された測定試料中の界面活性剤の濃度(終濃度)が２mg/L以上30 mg/L以下、好ましくは４mg/L以上22 mg/L以下となるように、尿試料との混合が行われる試薬である。なお、本実施形態の試薬については、本実施形態の尿試料分析方法に用いた第１試薬について述べたことと同じである。図６に、本実施形態の試薬１１の一例を示した。
【００９３】
本発明の範囲には、尿試料中の有形成分として少なくとも円柱及び赤血球を検出するための、４mg/L以上50 mg/L以下の界面活性剤を含む試薬の使用も含まれる。
【００９４】
[尿試料分析用試薬キット]
本実施形態の尿試料分析用試薬キット(以下、単に「試薬キット」ともいう)は、尿試料中の有形成分として少なくとも円柱及び赤血球を検出するための試薬キットである。本実施形態の試薬キットは、４mg/L以上50 mg/L以下の界面活性剤を含む第１試薬と、円柱及び赤血球を染色するための蛍光色素を含む第２試薬とを含む。本実施形態の試薬キットは、尿試料、第１試薬、及び第２試薬を混合して調製された測定試料中の界面活性剤の濃度(終濃度)が２mg/L以上30 mg/L以下、好ましくは４mg/L以上22 mg/L以下となるように、尿試料との混合が行われる試薬キットである。
【００９５】
本実施形態の試薬キットに含まれる第１試薬及び第２試薬については、本実施形態の尿試料分析方法に用いた第１試薬及び第２試薬について述べたことと同じである。
【００９６】
本実施形態においては、第１試薬と第２試薬とを別々の容器に収容し、これらを備えた２試薬型の試薬キットとすることが好ましい。図７に、容器に収容された第１試薬２２及び容器に収容された第２試薬３３を含む本実施形態の試薬キットの一例を示した。
【００９７】
本発明の範囲には、尿試料中の有形成分として少なくとも円柱及び赤血球を検出するための、４mg/L以上50 mg/L以下の界面活性剤を含む第１試薬と、円柱及び赤血球を染色するための蛍光色素を含む第２試薬とを含む試薬キットの使用も含まれる。
【００９８】
以下に、本発明を実施例により詳細に説明するが、本発明はこれらの実施例に限定されるものではない。
【実施例】
【００９９】
実施例１
実施例１では、尿試料から調製した測定試料中の界面活性剤の濃度と、尿中赤血球に及ぼす影響との関係を検討した。【０１００】
(１)尿試料
尿試料として、尿沈残渣検査で赤血球を認めた臨床検体を用いた。【０１０１】
(２)試薬
・希釈用試薬
希釈用試薬として、下記の組成の希釈液１及び２を調製した。なお、希釈液１及び２には、逆浸透膜で濾過した水を溶媒として用いた。
希釈液１：HEPES-OH(100 mM、pH7)(株式会社同仁化学研究所)、EDTA-2K(25 mM)(中部キレスト株式会社)及びDTAB(50 mg/L)(東京化成工業株式会社)
希釈液２：HEPES-OH(100 mM、pH7)、EDTA-2K(25 mM)及びDTAB(10 mg/L)【０１０２】
・染色用試薬
シアニン系蛍光色素のDioC3(3)(株式会社林原生物化学研究所)を、１mg/mLの濃度となるようにエチレングリコール(ナカライテスク株式会社)に溶解して、染色用試薬を調製した。【０１０３】
(３)測定及び結果
試料の測定はフローサイトメータUF-1000i(シスメックス株式会社製)を用いて行った。このフローサイトメータによる測定の具体的な工程は、次のとおりである。まず、尿試料(200μL)と、希釈用試薬(580μL)と、染色用試薬(20μL)とを混合し、40℃にて10秒間反応させて測定試料を調製した。測定試料中のDTABの濃度(DTAB終濃度)は、希釈液１を用いた場合は36.25 mg/Lであり、希釈液２を用いた場合は7.25 mg/Lであった。そして、測定試料に光を照射して、前方散乱光強度及び蛍光強度を取得した。なお、フローサイトメータの光源として、励起波長488 nmの半導体レーザを用いた。これらの測定値に基づいて、測定試料中の赤血球数をカウントした。結果を、試薬による処理をしていない尿試料に含まれる赤血球数に対する測定試料中の赤血球数の割合(％)として、図１に示す。【０１０４】
図１に示されるように、測定試料中のDTABの終濃度が36.25 mg/Lとなる希釈液１を用いた場合、測定試料中の赤血球の数が顕著に減少していた。したがって、DTABの終濃度が36.25 mg/Lとなる条件では、尿試料中の赤血球を正確に計数することは難しい。これに対して、測定試料中のDTABの終濃度が7.25 mg/Lとなる希釈液１を用いた場合は、赤血球に及ぼす影響が極めて小さかった。よって、DTABの終濃度が7.25 mg/Lとなる条件は、尿試料中の赤血球の測定に適していることがわかる。【０１０５】
実施例２
実施例２では、フローサイトメータを用いる本実施形態の尿試料分析方法による、円柱に類似する尿中有形成分である粘液糸と、円柱との弁別性能を検討した。【０１０６】
(１)尿試料
尿試料として、粘液糸を含む尿(尿沈残渣検査で粘液糸を認めた臨床検体。以下、「偽陽性検体」とも呼ぶ)と、円柱及び粘液糸を含む尿(尿沈残渣検査で円柱及び粘液糸を認めた臨床検体。以下、「円柱検体」とも呼ぶ)とを用いた。【０１０７】
(２)試薬
・希釈用試薬
希釈用試薬として、下記の組成の希釈液３及び４を調製した。なお、希釈液３及び４には、逆浸透膜で濾過した水を溶媒として用いた。
希釈液３：HEPES-OH(100 mM、pH7)及びEDTA-2K(25 mM)
希釈液４：HEPES-OH(100 mM、pH7)、EDTA-2K(25 mM)及びDTAB(10 mg/L)
・染色用試薬
染色用試薬として、実施例１と同じ染色用試薬を用いた。【０１０８】
(３)測定及び結果
尿試料(200μL)と、希釈用試薬(580μL)と、染色用試薬(20μL)とを混合し、40℃にて10秒間反応させ測定試料を調製した。そして、得られた測定試料を蛍光顕微鏡BX51(オリンパス株式会社)で目視観察して円柱を計数した。また、同様にして測定試料を調製し、得られた測定試料をフローサイトメータUF-1000i(シスメックス株式会社製)でも測定した。具体的には、測定試料に光を照射して、前方散乱光強度、側方散乱光強度及び蛍光強度を取得した。なお、フローサイトメータの光源として、励起波長488 nmの半導体レーザを用いた。これらの測定値に基づいて、測定試料中の円柱の数を算出した。結果を表１に示す。なお、蛍光顕微鏡での目視による結果は、希釈液３で処理した試料の円柱の数である。【０１０９】
【表１】
2015129863.tif 000007
【０１１０】
表１に示されるように、DTABを含まない希釈液３で処理した尿試料では、フローサイトメータ(FCM)による測定では、円柱の算出数が、目視によるカウント数より多かった。これは、試料中の粘液糸凝集などの円柱に類似した夾雑物を、円柱としてカウントしてしまったことによると考えられる。一方、DTABを含む希釈液４で処理した尿試料では、目視による結果とFCMの測定結果とが近似することが明らかとなった。これは、DTABの作用により、円柱に類似した夾雑物が低減されたことによると考えられる。【０１１１】
実施例３
実施例３では、フローサイトメータを用いる本実施形態の尿試料分析方法の臨床性能を、目視検査の結果と比較して評価した。【０１１２】
(１)尿試料
尿試料として、顕微鏡観察により円柱が出現していないと判断された陰性尿検体(42検体)を用いた。【０１１３】
(２)試薬
希釈用試薬として、実施例２と同じ希釈液３及び４を用いた。染色用試薬として、実施例１と同じ染色用試薬を用いた。【０１１４】
(３)測定及び結果
試料の測定は、フローサイトメータUF-1000i(シスメックス株式会社製)を用いて行った。このフローサイトメータによる測定の具体的な工程は、次のとおりである。まず、試料(200μL)と、希釈用試薬(580μL)と、各染色液(20μL)とを混合し、40℃にて10秒間反応させて測定試料を調製した。そして、得られた測定試料に光を照射して、前方散乱光強度、側方散乱光強度及び蛍光強度を取得した。なお、フローサイトメータの光源として、励起波長488 nmの半導体レーザを用いた。これらの測定値に基づいて測定試料中の円柱の数を算出し、フローサイトメータ(FCM)により陰性と判断された検体数を求めた。また、目視(顕微鏡観察)による陰性検体数をリファレンスとして、FCMによる円柱の分析の特異度を求めた。結果を表２に示す。【０１１５】
【表２】
2015129863.tif 000008
【０１１６】
表２に示されるように、シアニン系蛍光色素を含む染色用試薬と、分散剤を含まない希釈液とを用いて尿試料を処理した場合、FCM測定による分析の特異度は71.4％であった。これに対して、分散剤としてカチオン性界面活性剤のDTABを含む希釈液で尿試料を処理することにより、分析の特異度が向上した。これは、DTABの作用により、円柱に類似した夾雑物が低減されたことによると考えられる。【０１１７】
実施例４
実施例４では、尿試料から調製した測定試料中の界面活性剤の濃度と、尿中赤血球に及ぼす影響との関係を検討した。【０１１８】
(１)尿試料
尿試料として、尿沈残渣検査で赤血球を認めた臨床検体を用いた。【０１１９】
(２)試薬
・希釈用試薬
希釈用試薬として、各種の界面活性剤を様々な濃度で含む希釈液のシリーズを調製した。組成は以下のとおりである。なお、各希釈液には、逆浸透膜で濾過した水を溶媒として用いた。【０１２０】
(i)下記のカチオン性界面活性剤を１種含む希釈液のシリーズ：HEPES-OH(50 mM、pH7)(株式会社同仁化学研究所)、EDTA-2K(25 mM)(中部キレスト株式会社)及びカチオン性界面活性剤(０、５、10、15、20又は30 mg/L)
＊カチオン性界面活性剤
オクチルトリメチルアンモニウムブロミド(OTAB)(東京化成工業)
ドデシルトリメチルアンモニウムブロミド(DTAB)(東京化成工業)
テトラデシルトリメチルアンモニウムブロミド(MTAB)(東京化成工業)
ドデシルトリメチルアンモニウムクロライド(DTAC)(東京化成工業)
(ii)下記のノニオン性界面活性剤を１種含む希釈液のシリーズ：HEPES-OH(50 mM、pH7)、EDTA-2K(25 mM)、及びノニオン性界面活性剤(０、５、10、15、20又は30 mg/L)
＊ノニオン性界面活性剤
ポリオキシエチレンセチルエーテル(BC-7(日光ケミカルズ))【０１２１】
・染色用試薬
シアニン系蛍光色素のDiOC3(3)(株式会社林原生物化学研究所)を、１mg/mLの濃度となるようにエチレングリコール(ナカライテスク株式会社)に溶解して、染色用試薬を調製した。【０１２２】
(３)測定及び結果
(3-1)カチオン性界面活性剤を１種含む希釈液について
試料の測定はフローサイトメータUF-1000i(シスメックス株式会社製)を用いて行った。このフローサイトメータによる測定の具体的な工程は、次のとおりである。まず、尿試料(200μL)と、希釈用試薬(580μL)と、染色用試薬(20μL)とを混合し、40℃にて10秒間反応させて測定試料を調製した。測定試料中の界面活性剤の濃度(終濃度)は、０、3.6、7.3、10.9、14.5及び21.8 mg/Lであった。そして、測定試料に光を照射して、前方散乱光強度及び蛍光強度を取得した。なお、フローサイトメータの光源として、励起波長488 nmの半導体レーザを用いた。これらの測定値に基づいて、測定試料中の赤血球数をカウントした。結果を図２に示す。【０１２３】
(3-2)ノニオン性界面活性剤を１種含む希釈液について
希釈用試薬として、BC-7を含む希釈液のシリーズを用いたこと以外は上記と同様にして、測定試料を調製した。測定試料中の界面活性剤の濃度(終濃度)は、０、3.6、7.3、10.9、14.5及び21.8 mg/Lであった。これらの試料を上記と同様にして測定した。また、比較のため、DTABを含む希釈液のシリーズを用いて、同様に測定試料を測定した。そして、得られた測定値に基づいて、測定試料中の赤血球数をカウントした。結果を図３に示す。【０１２４】
図２に示されるように、DTAB以外のカチオン性界面活性剤を用いた場合でも、測定試料中の赤血球数は減少せず、正確に測定できることがわかる。図３に示されるように、ノニオン界面活性剤を用いた場合でも、DTABを用いた場合と同様に、測定試料中の赤血球数は減少せず、正確に測定できることがわかる。【０１２５】
実施例５
実施例５では、尿試料から調製した測定試料中の界面活性剤の濃度と、円柱に類似した夾雑物を低減する効果との関係を検討した。【０１２６】
(１)尿試料
尿試料として、円柱を含まないが円柱に類似した夾雑物を含む正常検体を用いた。【０１２７】
(２)試薬
・希釈用試薬
希釈用試薬として、各種の界面活性剤を様々な濃度で含む希釈液のシリーズを調製した。組成は以下のとおりである。なお、各希釈液には、逆浸透膜で濾過した水を溶媒として用いた。【０１２８】
(iii)下記のカチオン性界面活性剤を１種含む希釈液のシリーズ：HEPES-OH(50 mM、pH7)(株式会社同仁化学研究所)、EDTA-2K(25 mM)(中部キレスト株式会社)及びカチオン性界面活性剤(０、１、３、５、８、10、20又は50 mg/L)
＊カチオン性界面活性剤
オクチルトリメチルアンモニウムブロミド(OTAB)(東京化成工業)
ドデシルトリメチルアンモニウムブロミド(DTAB)(東京化成工業)
テトラデシルトリメチルアンモニウムブロミド(MTAB)(東京化成工業)
ドデシルトリメチルアンモニウムクロライド(DTAC)(東京化成工業)
(iv)下記のノニオン性界面活性剤を１種含む希釈液のシリーズ：HEPES-OH(50 mM、pH7)、EDTA-2K(25 mM)、及びノニオン性界面活性剤(０、１、３、５、８、10、20又は50 mg/L)
＊ノニオン性界面活性剤
ポリオキシエチレンセチルエーテル(BC-7(日光ケミカルズ))【０１２９】
・染色用試薬
染色用試薬として、実施例４と同じ染色用試薬を用いた。【０１３０】
(３)測定及び結果
(3-1)カチオン性界面活性剤を１種含む希釈液について
試料の測定はフローサイトメータUF-1000i(シスメックス株式会社製)を用いて行った。このフローサイトメータによる測定の具体的な工程は、次のとおりである。まず、尿試料(200μL)と、希釈用試薬(580μL)と、染色用試薬(20μL)とを混合し、40℃にて10秒間反応させて測定試料を調製した。測定試料中の界面活性剤の濃度(終濃度)は、０、0.7、2.2、3.6、5.8、7.3、14.5及び36.3 mg/Lであった。そして、測定試料に光を照射して、前方散乱光強度及び蛍光強度を取得した。なお、フローサイトメータの光源として、励起波長488 nmの半導体レーザを用いた。これらの測定値に基づいて、測定試料中の円柱類似夾雑物の数をカウントした。結果を図４に示す。【０１３１】
(3-2)ノニオン性界面活性剤を１種含む希釈液について
希釈用試薬として、BC-7を含む希釈液のシリーズを用いたこと以外は上記と同様にして、測定試料を調製した。測定試料中の界面活性剤の濃度(終濃度)は、０、0.7、2.2、3.6、5.8、7.3、14.5及び36.3 mg/Lであった。これらの試料を上記と同様にして測定した。また、比較のため、DTABを含む希釈液のシリーズを用いて、同様に測定試料を測定した。そして、得られた測定値に基づいて、測定試料中の円柱類似夾雑物の数をカウントした。結果を図５に示す。【０１３２】
図４に示されるように、測定試料中のカチオン性界面活性剤の濃度が2.2 mg/L以上であるとき、０及び0.7 mg/Lの場合に比べ、検出される夾雑物の数が減少した。図５に示されるように、ノニオン性界面活性剤BC-7を用いた場合でも、DTABを用いた場合と同様に、測定試料中の界面活性剤の濃度が2.2 mg/L以上であるとき、検出される夾雑物の数が減少した。これらの結果より、測定試料中の界面活性剤の濃度を2.2 mg/L以上とすることにより、誤って円柱として検出されるおそれのある夾雑物を低減できることがわかる。【０１３３】
本出願は、２０１４年２月２８日に出願された日本国特許出願特願２０１４−０３９２８２号に関し、これらの特許請求の範囲、明細書及び要約書の全ては本明細書中に参照として組み込まれる。
【符号の説明】
【０１３４】
１１    尿試料分析用試薬
２２    第１試薬
３３    第２試薬
【図１】
2015129863.tif 000010
【図２】
2015129863.tif 000011
【図３】
2015129863.tif 000012
【図４】
2015129863.tif 000013
【図５】
2015129863.tif 000014
【図６】
2015129863.tif 000015
【図７】
2015129863.tif 000016
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
尿試料と、界面活性剤を含む試薬とを混合して測定試料を調製する工程と、
調製工程で得られた測定試料に含まれる尿中有形成分として少なくとも円柱及び赤血球を検出する工程と
を含み、調製工程で得られた測定試料中の界面活性剤の濃度が２mg/L以上30 mg/L以下である、
尿試料分析方法。
【請求項２】
調製工程で得られた測定試料中の界面活性剤の濃度が４mg/L以上22 mg/L以下である、請求項１に記載の尿試料分析方法。
【請求項３】
界面活性剤が、カチオン性界面活性剤、アニオン性界面活性剤、両性界面活性剤及びノニオン性界面活性剤から選択される少なくとも１つである請求項１又は２に記載の尿試料分析方法。
【請求項４】
カチオン性界面活性剤が、４級アンモニウム塩型界面活性剤及びピリジニウム塩型界面活性剤から選択される少なくとも１つであり、アニオン性界面活性剤が、カルボン酸塩型界面活性剤、スルホン酸塩型界面活性剤及び硫酸エステル塩型界面活性剤から選択される少なくとも１つであり、両性界面活性剤が、アミノ酸型両性界面活性剤及びベタイン型両性界面活性剤から選択される少なくとも１つであり、ノニオン性界面活性剤が、ポリオキシエチレン系ノニオン性界面活性剤である請求項３に記載の尿試料分析方法。
【請求項５】
カチオン性界面活性剤が、４級アンモニウム塩型界面活性剤である請求項４に記載の尿試料分析方法。
【請求項６】
４級アンモニウム塩型界面活性剤が、以下の式(I)：
【化１】
2015129863.tif 000017
(式中、Ｒ1は炭素数１〜18のアルキル基又はアルケニル基であり；Ｒ2及びＲ3は互いに同一又は異なって、炭素数１〜４のアルキル基又はアルケニル基であり；Ｒ4は炭素数１〜12のアルキル基若しくはアルケニル基、又はベンジル基であり；Ｘ-はハロゲンイオン又はヒドロキシイオンである。)
で表される、全炭素数が４〜38の界面活性剤である請求項５に記載の尿試料分析方法。
【請求項７】
前記式(I)において、Ｒ2、Ｒ3及びＲ4のそれぞれがメチル基である請求項６に記載の尿試料分析方法。
【請求項８】
前記式(I)において、Ｘ-がハロゲンイオンであり、臭化物イオン、塩化物イオン及びヨウ化物イオンから選択される少なくとも１つである請求項６又は７に記載の尿試料分析方法。
【請求項９】
４級アンモニウム塩型界面活性剤が、ドデシルトリメチルアンモニウムブロミド、オクチルトリメチルアンモニウムブロミド、テトラデシルトリメチルアンモニウムブロミド、ドデシルトリメチルアンモニウムクロライド、オクチルトリメチルアンモニウムクロライド、及びテトラデシルトリメチルアンモニウムクロライドから選択される少なくとも１つである請求項５〜８のいずれか１項に記載の尿試料分析方法。
【請求項１０】
ポリオキシエチレン系ノニオン性界面活性剤が、ポリオキシエチレンアルキルエーテルである請求項４に記載の尿試料分析方法。
【請求項１１】
調製工程において、円柱及び赤血球を染色するための蛍光色素を含む試薬をさらに混合する請求項１〜１０のいずれか１項に記載の尿試料分析方法。
【請求項１２】
円柱及び赤血球を染色するための蛍光色素が、シアニン系蛍光色素である請求項１１に記載の尿試料分析方法。
【請求項１３】
調製工程で得られた測定試料に含まれる尿中有形成分に光を照射して光学的情報を取得する工程をさらに含み、
検出工程が、取得した光学的情報に基づいて、尿中有形成分として少なくとも円柱及び赤血球を検出する工程である請求項１〜１２のいずれか１項に記載の尿試料分析方法。
【請求項１４】
前記光学的情報が、少なくとも散乱光情報を含む請求項１３に記載の尿試料分析方法。
【請求項１５】
界面活性剤を含む試薬が、キレート剤をさらに含む請求項１〜１４のいずれか１項に記載の尿試料分析方法。
【請求項１６】
キレート剤が、エチレンジアミン四酢酸塩(EDTA塩)である請求項１５に記載の尿試料分析方法。
【請求項１７】
４mg/L以上50 mg/L以下の界面活性剤を含む、尿中有形成分として少なくとも円柱及び赤血球を検出するための尿試料分析用試薬。
【請求項１８】
４mg/L以上50 mg/L以下の界面活性剤を含む第１試薬と、
円柱及び赤血球を染色するための蛍光色素を含む第２試薬と、
を含む、尿中有形成分として少なくとも円柱及び赤血球を検出するための尿試料分析用試薬キット。
【請求項１９】
請求項１１又は１２に記載の尿試料分析方法に用いられ、円柱及び赤血球を染色するための前記蛍光色素を含む、試薬。
【国際調査報告】
2015129863.tif 000018
2015129863.tif 000019
2015129863.tif 000020
2015129863.tif 000021